(57)【特許請求の範囲】
【請求項１】
浴槽本体の側壁に手すりと排水栓を開閉操作する操作スイッチとを取り付けてなる浴槽において、
前記側壁には３つ以上の複数の穴を等間隔に配設し、前記手すりと操作スイッチとを前記複数の穴のいずれかに選択的に取り付けできるようにしたことを特徴とする浴槽。
【請求項２】
前記浴槽本体の別の側壁には昇降可能な着座部を備えたリフト機構が設けられ、前記一の側壁におけるリフト機構に近接する位置に前記手すりを取り付け、前記リフト機構から離れた位置に前記操作スイッチを取り付けるようにした請求項１に記載された浴槽。
【請求項３】
浴槽本体と、該浴槽本体の一の側壁の上部側に設けられた開口部を開閉させる扉部とを備えていて、前記浴槽本体の二の側壁に手すりと排水栓を開閉操作する操作スイッチとを取り付けてなる開閉式浴槽であって、
前記二の側壁には３つ以上の複数の穴を等間隔に配設し、前記手すりと操作スイッチとを前記複数の穴のいずれかに選択的に取り付けできるようにしたことを特徴とする開閉式浴槽。
【請求項４】
前記浴槽本体の更に他の側壁には昇降可能な着座部を備えたリフト機構が設けられ、前記二の側壁における前記着座部に近接する位置に前記手すりを取り付け、前記着座部から離れた位置に前記操作スイッチを取り付けるようにした請求項３に記載された開閉式浴槽。
【発明の詳細な説明】
【技術分野】
【０００１】
本発明は、手すりと排水栓を備えた浴槽、そして、これら手すりと排水栓を備えていて浴槽本体の側面に形成した開口部を開閉可能な扉部を備えた開閉式浴槽に関するものである。
【背景技術】
【０００２】
従来、例えば介護施設等の浴槽や家庭用浴槽では、入浴時に浴槽本体の側壁高さが高いと身障者や老人等が側壁をまたぐのが容易ではなく、浴槽内に入ることが困難で手間がかかるおそれがある。そのため、床面をある程度下方に堀り込んでおき、その堀り込んだ部分に浴槽本体を落とし込んで設置することで、床面に対する浴槽本体の側壁高さを低くしている。これにより、身障者や老人等であっても浴槽本体の側壁を容易に跨いで入浴できるようにしている。
しかし、堀り込んだ床面に浴槽本体を落とし込む従来の浴槽にあっては、浴槽本体を落とし込むための床面の堀り込みに手間や工事費がかかるという問題がある。
【０００３】
また、このような欠点を改善した浴槽として、特許文献１に示す開閉式浴槽が提案されている。この浴槽は、浴槽本体の側壁に開口部を形成し、この開口部に対して上下方向にスライド可能に扉部を設けた。身障者や老人等の入浴者の入浴時には扉を降下させて開口部を開口させて、入浴者を載せた入浴用椅子を浴槽本体に隣接して配置した移送台から浴槽本体内のレール台上に横向きにして移し替え、その後、扉部を閉めて浴槽本体の開口部を閉鎖するように構成されている。
入浴時に入浴者を浴槽本体内に移し替えるとき、開口部より上方の浴槽内の湯量をタンクに一時的に移し替え、開口部を扉部で閉鎖した後にタンクの湯を浴槽内に戻すようにしている。そのため、入浴者の入浴と退出に伴う湯の出し入れ調整が、浴槽内に蓄えられた湯の約半分程度で済むので、入出浴に伴う湯の移し替えを大幅に短縮することができる。
【０００４】
ところで、近年、総人口に対する高齢者の割合が年々増加しており、病院や介護施設等での多数の高齢者の介護が困難になってきている。そのため、自宅において老人等の入浴を含む介護の必要性が年々高まってきている。
しかしながら、特許文献１に記載された開閉式浴槽では、入浴者を入浴用椅子や担架に載せたまま移送台によって浴槽本体の開口部を通して浴槽内のレール台に移送する構成であるため、入浴用椅子や担架のスペースを含む占有スペースが大きく、浴室と浴槽本体にそれぞれ大きなスペースが必要になるため、比較的狭い家庭用の浴室や、小さな浴室または浴槽等での入浴には不向きであった。
【０００５】
これに対し、特許文献２に記載された浴槽では、浴槽本体の開口部に対向する側壁に入浴者が座る着座部を昇降可能に保持するリフト機構を設け、リフト機構に設けた着座部を回転可能にすると共に開口部方向にスライド可能に構成している。しかも、リフト機構を側壁に沿って移動可能としている。
これによって、家庭用浴室等の狭いスペースでも、浴室のレイアウトに応じて着座部を備えたリフト機構を移動させて入浴しやすい位置に位置決めできる。しかも、浴槽の着座部に入浴者を着座させた状態で着座部を回転させたり移動させたりすることで身障者や老人等が開口部を通して浴槽に入ったり出たりすることができるため、容易に入浴が可能になる。
【先行技術文献】
【特許文献】
【０００６】
【特許文献１】特公平６−７８４８号公報
【特許文献２】特開２００６−２９６７１５号公報
【発明の概要】
【発明が解決しようとする課題】
【０００７】
ところで、上述した特許文献２に記載された開閉式浴槽では、身障者や老人等が入浴する場合、浴槽本体内で身障者や老人等の入浴者がリフト機構の着座部から立ち上がったり移動したりする際に転んだり滑ったりしないように側壁の上面に手すりを設けることが多い。
【０００８】
しかしながら、上述したように浴室に対する浴槽の設置位置やリフト機構の設置位置を選択できるように構成すると、設置したリフト機構の着座部から離れた位置に手すりが設置されていることがあり、この場合には入浴者が手すりをつかめない状態で立ち上がったり移動したりするため、滑ったり転んだりするおそれがあった。そのため、入浴者が立ち上がったり移動したりする場合には介助者が入浴者を保持して介助しなければならなかった。また、家庭用浴槽等では介助者がいないことがあり、転倒の危険があるという不具合があった。
【０００９】
本発明は、このような事情に鑑みてなされたもので、入浴者が入浴及び退出する際や身体を洗う際等に安全に動作できるようにした浴槽及び開閉式浴槽を提供することを目的とする。
【課題を解決するための手段】
【００１０】
本発明による浴槽は、浴槽本体の一の側壁に手すりと排水栓を開閉操作する操作スイッチとを取り付けてなる浴槽において、側壁には３つ以上の複数の穴を等間隔に配設し、手すりと操作スイッチとを複数の穴のいずれかに選択的に取り付けるようにしたことを特徴とする。
本発明の浴槽によれば、入浴者が入浴したり浴槽から退出したりする際、浴室のレイアウトや浴室の壁や設置設備等と浴槽の位置との関係から、入浴者が浴槽本体に対して入退出し易い位置が異なっていても、一の側壁に設けた複数の穴は等間隔で配列されているから、入退出する位置の近くの側壁に手すりを取り付け、入退出する位置から比較的離れた位置に操作スイッチを取り付けることができる。そのため、浴槽本体の設置位置に関わらず入浴者は手すりをつかんで安全に入退出したり浴槽内で立ち上がったりすることができ、入浴者が健常者である場合はもとより、身障者や老人等であっても転倒のおそれなく入退出等の動きをすることができる。
【００１１】
また、浴槽本体の別の側壁には昇降可能な着座部を備えたリフト機構が設けられ、一の側壁におけるリフト機構に近接する位置の穴に手すりを取り付け、リフト機構から離れた位置に操作スイッチを取り付けることが好ましい。
リフト機構に設けた着座部から退出する際、着座する際、または立ち上がる際にその近傍に取り付けた手すりをつかむことで滑ったりすることなく動くことができる。
【００１２】
本発明による開閉式浴槽は、浴槽本体と、該浴槽本体の一の側壁の上部側に設けられた開口部を開閉させる扉部とを備えていて、浴槽本体の二の側壁に手すりと排水栓を開閉操作する操作スイッチとを取り付けてなる開閉式浴槽であって、二の側壁には３つ以上の複数の穴を等間隔に配設し、手すりと操作スイッチとを複数の穴のいずれかに選択的に取り付けるようにしたことを特徴とする。
本発明の開閉式浴槽によれば、浴室のレイアウトや浴槽の位置との関係から、入浴者が浴槽本体の一の側壁の開口部から入退出するとして、二の側壁における入退出位置または着座位置の近傍に手すりを設けることができるので、入浴者が開口部を通して入浴したり退出したりする際、或いは立ち上がる際、入浴者は確実に手すりをつかんで入退出したり浴槽本体内で立ち上がったりすることができる。そのため、入浴者が健常者である場合はもとより、身障者や老人等であっても転倒のおそれをなくして安全に動作することができる。
【００１３】
また、浴槽本体の更に他の側壁には昇降可能な着座部を備えたリフト機構が設けられ、二の側壁における着座部に近接する位置に手すりを取り付け、着座部から離れた位置に排水栓の操作スイッチを取り付けることが好ましい。
本発明によれば、リフト機構に近接する開口部を設けない第二の側壁において、着座部に近接する位置に手すりを取り付けて着座部から離れた位置に操作スイッチを設けることで、リフト機構の着座部から入浴者が立ち上がったり退出したり座ったりする際に手すりをつかんで動作することができるため、滑ったり転んだりするおそれがなく、入浴者が確実に立ったり座ったり、或いは移動する等の動作ができる。
なお、他の側壁とは開口部を設けた一の側壁や手すりや操作スイッチを設けた二の側壁以外の適宜の側壁であればよい。
【００１４】
また、リフト機構は、着座部を支持する支柱と、該支柱に沿って着座部を昇降させる昇降駆動部と、を有することが好ましい。
入浴者は、着座部に着座した状態で、昇降駆動部によって着座部を昇降させることで、入浴位置と入退出位置とを切り替えることができる。
【発明の効果】
【００１５】
本発明に係る浴槽によれば、一の側壁に設けた複数の穴は等間隔で配列されているから、一の側壁において入浴者が入退出する位置の近くに手すりを取り付け、入退出する位置から比較的離れた位置に操作スイッチを取り付けることができる。そのため、浴槽本体の設置位置に関わらず入浴者は手すりをつかんで安全に入退出したり浴槽内で立ち上がったりすることができ、入浴者が健常者である場合はもとより、身障者や老人等であっても転倒のおそれなく入退出等の動きをすることができる。
【００１６】
また、本発明による開閉式浴槽によれば、二の側壁に設けた複数の穴は等間隔で配列されているから、一の側壁の開口部を通して入浴者が入退出する際、或いは立ち上がる際等に、入退出する位置の近くにおける二の側壁に手すりを取り付け、入退出する位置から比較的離れた位置に操作スイッチを取り付けることができる。そのため、浴槽本体の設置位置に関わらず入浴者は手すりをつかんで安全に入退出したり浴槽内で立ち上がったりすることができ、入浴者が健常者である場合はもとより、身障者や老人等であっても転倒のおそれなく入退出等の動きをすることができる。
【図面の簡単な説明】
【００１７】
【図１】本発明の実施形態による開閉式浴槽を示す斜視図である。
【図２】図１に示す開閉式浴槽の平面図である。
【図３】図１に示す開閉式浴槽の一部を破断した正面図である。
【図４】開閉式浴槽の側面に設置したリフト機構を示すものであり、（ａ）は側面図、（ｂ）は背面図である。
【図５】開閉式浴槽の正面図である。
【図６】開閉式浴槽の収納ボックス側から見た側面図である。
【図７】手すりを浴槽本体に取り付けた状態を示す断面図である。
【図８】ポップアップ式排水栓を示す要部断面図である。
【図９】リフト機構を別の側壁に取り付けた場合の手すりと操作スイッチの取り付け位置を示す平面図である。
【発明を実施するための形態】
【００１８】
以下、図面を参照して、本発明の実施の形態について説明する。
図１に示す本実施形態による開閉式浴槽１０は、浴槽本体１１と、浴槽本体１１の手前側の第一側壁１１ａに設けられた開口部１２と、第一側壁１１ａの高さ方向に沿って移動可能で開口部１２を開閉する扉部１３とを備えている。
浴槽本体１１は上方が開放された略直方体の箱形形状をなしており、４つの側壁１１ａ〜１１ｄ及び底面によって形成されている。図では、側壁１１ａ〜１１ｄは長辺板状をなす対向する第一側壁１１ａ及び第二側壁１１ｂと、短辺板状をなす対向する第三側壁１１ｃ及び第四側壁１１ｄとで形成されている。開口部１２は、手前側の第一側壁１１ａを上部から下方に向けて例えば略上半分程度矩形状に切除することで形成されている。
【００１９】
扉部１３は開口部１２を開閉するためのものであって、浴槽本体１１の第一側壁１１ａに沿って昇降可能に取り付けられている。第一側壁１１ａには扉部１３の昇降移動をガイドするガイド溝１４が設けられ、扉部１３の内面にはエア等の気体を供給することで第一側壁１１ａの開口部１２周りとの間を液密にシールして湯漏れを防ぐシール部材１５が設けられている（図５参照）。
シール部材１５は扉部１３の内面に例えば略コの字状またはＵ字状に形成されている。シール部材１５は中空で伸縮可能な合成樹脂またはゴム部材等からなり、扉部１３が開口部１２を閉鎖した状態でエア等の気体が供給されると膨張して浴槽本体１１内の湯が開口部１２から漏れ出ないシール作用を果たしている。
【００２０】
また、浴槽本体１１における短辺板状の側面である第三側壁１１ｃにはリフト機構１６が取り付けられ、第三側壁１１ｃの背面側には収納ボックス１７が配設されている。リフト機構１６は、上記特許文献２に構成が詳述されており、図２〜図４に示すように、第三側壁１１ｃの上下方向に沿って浴槽本体１１内に支柱１８が設けられ、支柱１８には支柱１８を昇降ガイドとして昇降可能な着座部１９が取り付けられている。
【００２１】
着座部１９は、図３に示すように、支柱１８に沿って昇降するリフト部２０と入浴者が着座する座面部２１とが側面視略Ｌ字形状に設けられている。リフト部２０の前面側には入浴者の背もたれをなす背当て部２２が取り付けられている。
なお、座面部２１にはヒンジを介して折り曲げ可能なフラップ２３がその両側または片側に設けられていてもよく、図１に示すように扉部１３を降下させて開口部１２を開放した状態で、第一側壁１１ａの開口部１２と扉部１３の上面がほぼ同一高さとなり、その上に座面部２１と同一平面上にフラップ２３が載置される。これにより、入浴者が浴槽本体１１に出入りする際に、いったんフラップ２３に着座することで容易に座面部２１に移動したり、浴槽本体１１内の座面部２１からフラップ２３に移って外部に出たりすることができる。
【００２２】
図３及び図４に示すリフト機構１６において、支柱１８の上部には水平板２５ａと下向きの垂直板２５ｂとからなる略Ｌ字状のフレーム２５が設けられ、このフレーム２５の垂直板２５ｂにリフト機構１６を駆動するための昇降駆動部２６が設置されている。昇降駆動部２６は、バッテリー２７とギアボックス２８とモータ２９とがフレーム２５に例えば並列に取り付けられている。
支柱１８の上端に連結されたフレーム２５の水平板２５ａが第三側壁１１ｃの上面に載置され、隣接する収納ボックス１７内にその上端開口から垂直板２５ｂと昇降駆動部２６が進入して収容されている。また、図３に示すように、第三側壁１１ｃの上面とフレーム２５の水平板２５ａと収納ボックス１７の上端開口とは、カバー部材３０で覆われている。このカバー部材３０は、図３に示すように、ヒンジを介して収納ボックス１７の上端部に開閉可能に装着されている。カバー部材３０は、浴槽本体１１内に入浴者が入浴して座面部２１に着座した際、入浴者の頭部を載せる枕としての機能も有する。
【００２３】
また、図４に示すリフト機構１６において、ギアボックス２８から外部に突出するローラ３２にはワイヤー３５が取り付けられ、ワイヤー３５は水平板２５ａに設けた他のローラ３３、３４を介して支柱１８内を延びてリフト部２０に連結されている。そして、モータ２９の一方向の回転によってローラ３２でワイヤー３５を巻き込むことで、着座部１９が支柱１８にガイドされて上昇し、モータ２９を逆回転させることでローラ３２に巻回されたワイヤー３５が繰り出されて、着座部１９が自重で降下することになる。
【００２４】
図６に示す浴槽本体１１の側面に設けられた収納ボックス１７内において、上部には昇降駆動部２６のバッテリー２７とギアボックス２８とモータ２９とが上端開口から挿入されて収納されており、下部にはリフト機構１６におけるモータ２９及び／またはバッテリー２７に電気的に接続されたリレーボックス３７を収納する摺動部３８が設置されている。リレーボックス３７も昇降駆動部２６の一部を構成する。
図５及び図６に示すように、収納ボックス１７内の下部にはレール部３９が取り付けられている。レール部３９は脚部上に設置され、レール部３９の側部には略Ｌ字状の支持ガイドが設けられている。
【００２５】
摺動部３８は、図６に示すように、基板４３上に昇降駆動部２６のリレーボックス３７が設置されていると共に、扉部１３の内面に設けられたシール部材１５にエア等の気体を供給する圧力供給手段として、例えばエアポンプ４４が設けられている。エアポンプ４４はチューブ４６を介して扉部１３の内面に設けられたシール部材１５にエアを供給して、上昇した扉部１３と第一側壁１１ａとを液密にシール可能とされている。
そして、摺動部３８はレール部３９に沿って摺動させることで、収納ボックス１７から引き出し及び収納可能とされ、引き出した時にレール部３９から分離して取り出すことができる。また、収納ボックス１７の前面には摺動部３８を収納した状態で覆うカバーが取り付けられている。
【００２６】
また、図１乃至図３において、浴槽本体１１の第二側壁１１ｂの上面には入浴者が把持するための手すり４９とポップアップ式排水栓５０の操作スイッチ６０とが取り付けられている。特に、手すり４９は、着座部１９の座面部２１の近傍に設置されていることが入浴者にとって把持しやすく好ましい。
第二側壁１１ｂの上面には、その両端部と中央部とに第一穴５２、第二穴５３、第三穴５４が等間隔に形成されており、これらの穴５２、５３，５４は同一形状で同一寸法を有していて、手すり４９の両端部と操作スイッチ６０はそれぞれ各穴５２，５３，５４に取り付け可能とされている。
【００２７】
本実施形態では、手すり４９は、任意の二つの穴、すなわち第二穴５３と第一穴５２または第三穴５４とに両端部を選択的に取り付けできる。また、操作スイッチ６０は第一穴５２から第三穴５４のいずれにも取り付けできる。
特に、手すり４９は略Ｕ字形状に形成されており、その両端部の第二側壁１１ｂの穴５２，５３，５４への取り付け構造は、図７に示すように手すり４９の端部とその先端側の軸部４９ａとの間に第一フランジ５６が固定され、更に穴の裏側で第二フランジ５７が締結ボルト５８によって軸部４９ａに螺着されることで、第二側壁１１ｂの上面が第一及び第二フランジ５６，５７で挟まれて固定される構成を有している。
【００２８】
また、ポップアップ式排水栓５０は、図８に示すように、第二側壁１１ｂの上面に設けた操作スイッチ６０と浴槽本体１１の底面に設けた開閉可能な排水栓６１と、操作スイッチ６０から排水栓６１まで操作力を伝達する伝達部材６２とで概略構成されている。排水栓６１は底面に取り付けられていてフランジを備えた排水口部材６３に対して栓体６４が進退して開閉可能とされている。
そして、操作スイッチ６０を押すことで伝達部材６２を移動させて、浴槽本体１１の底面において排水栓６１の栓体６４を排水口部材６３から開弁させて排水でき、操作スイッチ６０を引き上げることで、排水栓６１の栓体６４を排水口部材６３に密閉させて閉弁させることができる。
【００２９】
本実施形態による開閉式浴槽１０は上述の構成を備えており、次にその作用を説明する。
開閉式浴槽１０を製作する場合、図１乃至図３に示すように、浴室のレイアウトの関係で第三側壁１１ｃにリフト機構１６を取り付けたとすると、開口部１２を設けた第一側壁１１ａに対向する第二側壁１１ｂの着座面１９に近い第一穴５２及び第二穴５３に手すり４９を図７に示すように取り付ける。
そして、図８に示すように、リフト機構１６から最も離れた第三穴５４にポップアップ式排水栓５０の操作スイッチ６０を固定すると共に、底面の排水孔に排水栓６１を設置する。
【００３０】
この状態で、入浴者を入浴させる場合には、図１において、開閉式浴槽１０の浴槽本体１１内に開口部１２まで湯を満たし、扉部１３を降下させて開口部１２を開口させる。そして、入浴者を着座部１９の座面部２１に接続されたフラップ２３を、同一平面をなすように開口部１２及び扉部１３の上に載置させ、この上に入浴者が着座する。
そして、入浴者はフラップ２３に着座した状態で開口部１２をまたいで、浴槽本体１１内の着座部１９における座面部２１上に移動する。その際、入浴者は第二側壁１１ｂに設けた手すり４９を把持してフラップ２３から座面部２１に移動すれば、滑ったりよろめいたりすることなく安全に移動できる。
【００３１】
その後、介助者等が手動で扉部１３を上昇させてフラップ２３を扉部１３の内側に折り曲げる。この状態で、エアポンプ４４からチューブ４６を介してエアをシール部材１５に供給して膨張させ、図５に示すように扉部１３と第一側壁１１ａとを液密にシールさせる。
そして、リフト機構１６のモータ２９を駆動させて着座部１９を底面に向けて降下させ、残りの湯を満たすことで入浴者が入浴状態になる。入浴状態において、身体を洗う際、手すり４９を把持して入浴者が立ち上がった状態で臀部等を洗うことができる。
また、入浴者が退出する場合には、座面部２１に着座した状態から手すり４９を把持して、フランジ２３に臀部を移動し、更に開口部１２をまたぐことで浴槽本体１１の外にでられる。
【００３２】
また、図９に示すように、リフト機構１６を第四側壁１１ｄに取り付けた場合には、第二側壁１１ｂにおける座面部２１に近い第三穴５４及び第二穴５３に手すり４９を取り付ける。そして、リフト機構１６から最も遠い第一穴５２にポップアップ式排水栓５０の操作スイッチ６０を固定することになる。
この状態で、入浴者は入浴及び退出に際し、そして身体を洗う場合に手すり４９を把持して動作すれば、滑ったり転んだりすることなく安全かつスムーズに移動や動作を行える。
【００３３】
上述したように、本実施形態による開閉式浴槽１０によれば次の作用効果を奏する。
浴槽本体１１の第二側壁１１ｂにおいて、複数の穴である第一穴５２、第二穴５３、第三穴５４を同一形状及び同一寸法で等間隔に形成したから、手すり４９と操作スイッチ６０を選択的に異なる位置に取り付け可能であり、特に入浴者に近い位置に手すり４９を取り付けることができる。
そして、浴槽本体１１におけるリフト機構１６の取同一寸法で同一形状にり付け位置に応じて、隣接する第二側壁１１ｂの座面部２１に近い位置の二つの穴に手すり４９を取り付け、座面部２１から遠い位置の穴に操作スイッチ６０を取り付けることで、入浴者が浴槽本体１１へ入浴及び退出する場合に、近傍にある手すり４９を把持しながら移動し、また身体を洗う場合にも手すり４９を把持しながら立ち上がることで、安全な移動を行える。
【００３４】
なお、本発明による開閉式浴槽１０は上述した実施形態に限定されるものではなく、本発明の要旨を逸脱しない限り適宜の変更や置換を行うことができる。
上述の実施形態では、扉部１３で開口部１２を開閉する開閉式浴槽１０について説明したが、本発明はこのような構成に限定されることなく、開口部１２や扉部１３のない通常の浴槽にも適用できる。
また、健常者等が浴槽本体１１に入浴する場合、リフト機構１６は必ずしも必要なく、着座部１９を取り外し、更に支柱１８及び昇降駆動部２６を上方から引き出してもよい。
この場合、入浴者が出入りする第一側壁１１ａに対向する第二側壁１１ｂや隣接する第三及び第四側壁１１ｃ、１１ｄのいずれかに等間隔の３つの穴とこれらに選択的に取り付けた手すり４９及び操作スイッチ５０とを設ければよい。
【００３５】
また、上述の実施形態では、扉部１３にシール部材１５が配設された例を示したが、シール部材１５は第一側壁１１ａの面に配設してもよい。
また、上述の実施形態では、リフト機構１６と収納ボックス１７を第三側壁１１ｃに設置したが、他の側壁１１ｂ、１１ｄに設置してもよいことはいうまでもない。
この場合、リフト機構１６を設置した側壁１１ｂ、１１ｄに隣接する側壁に３つの穴である第一穴５２〜第三穴５４を形成し、これらの穴に手すり４９と操作スイッチ５０を選択的に取り付けることができ、リフト機構１６に近接する位置に手すり４９を取り付け、遠い位置に操作スイッチ５０を取り付けることが好ましい。
【００３６】
また、本発明では、必ずしも収納ボックス１７は設けなくてもよく、その場合、支柱１８の上部に昇降駆動部２６を設けてもよいし、或いは浴槽本体１１の外側面に昇降駆動部２６やエアポンプ４４等の圧力作動手段を設置してもよい。
【００３７】
なお、本実施形態による開閉式浴槽１０では、浴槽本体１１の第二側壁１１ｂまたは他の側壁１１ｃ、１１ｄ等に形成する穴５２，５３，５４を３つとしたが、本発明はこの構成に限定されるものではなく、少なくとも３つ以上の複数等間隔に設けることができる。穴を４つ以上設けた場合には、手すり４９を取り付ける２つの穴と操作スイッチ６０を取り付ける１つの穴の位置をより自由に選定できるため、選択範囲が一層広がることになる。
【符号の説明】
【００３８】
１０  開閉式浴槽
１１  浴槽本体
１１ａ  第一側壁（側壁）
１１ｂ  第二側壁（側壁）
１１ｃ  第三側壁（側壁）
１２  開口部
１３  扉部
１６  リフト機構
１８  支柱
１９  着座部
２１  座面部
２６  昇降駆動部
４９  手すり
５０  ポップアップ式排水栓
５２  第一穴（穴）
５３  第二穴（穴）
５４  第三穴（穴）
６０  操作スイッチ
【図１】
0005823886.tif 000002
【図２】
0005823886.tif 000003
【図３】
0005823886.tif 000004
【図４】
0005823886.tif 000005
【図５】
0005823886.tif 000006
【図６】
0005823886.tif 000007
【図７】
0005823886.tif 000008
【図８】
0005823886.tif 000009
【図９】
0005823886.tif 000010